(57)【要約】【課題】録画済の映像を簡単な操作で逆再生する映像表示システムを提供する。【解決手段】映像表示システムを構成する映像記録再生装置が実行する処理は、映像録画状態であるときに（ステップＳ６１０）、映像表示システムを構成する情報通信端末から映像配信要求を受信すると（ステップＳ６２０にてＹＥＳ）、リアルタイムで映像を配信するステップ（Ｓ６３０）と、情報通信端末から逆再生要求を受信すると（ステップＳ６４０にてＹＥＳ）、記録映像に切り換えて一番新しい録画映像から逆再生するステップ（６５０）と、情報通信端末から停止要求を受信したときに（ステップＳ６６０にてＹＥＳ）、通信を遮断しないと判断すると（ステップＳ６７０にてＮＯ）、リアルタイムで映像を配信するステップ（Ｓ６３０）とを含む。【選択図】図６
2008289083.tif 000002
【特許請求の範囲】
【請求項１】
通信回線に接続された情報通信端末に画像データを送信する映像記録再生装置であって、
前記通信回線を介して前記情報通信端末と通信する通信手段と、
撮影により動画像データをデータを生成して前記動画像データを出力するカメラと、
前記カメラから出力される動画像データを格納するメモリと、
前記メモリに格納されている動画像データを再生する再生手段と、
前記通信手段に対する動画像データの出力源を、前記カメラと前記メモリとの間で切り替える制御手段とを備え、
前記制御手段は、
前記情報通信端末から送信された信号から動画像データを逆再生する指示を検出するまで、前記出力源を前記カメラに設定し、
前記指示を検出すると、前記出力源を前記メモリに切り替えて、かつ、前記メモリに格納された時刻が新しい順に、前記メモリに格納されている動画像データを前記再生手段に再生させる、映像記録再生装置。
【請求項２】
通信回線に接続された情報通信端末に画像データを送信する映像記録再生装置であって、
前記通信回線を介して前記情報通信端末と通信する通信手段と、
撮影により動画像データをデータを生成して前記動画像データを出力する撮影手段と、
前記撮影手段から出力される前記複数の動画像データを格納する記憶手段と、
前記記憶手段に格納されている複数の動画像データの各々を再生する再生手段と、
前記通信手段に対する動画像データの出力源を、前記撮影手段と前記記憶手段との間で切り替える制御手段とを備え、
前記制御手段は、
前記情報通信端末から送信された信号から、動画像データを逆再生する指示を検出するまで、前記出力源を前記撮影手段に設定し、
前記指示を検出すると、前記出力源を前記記憶手段に切り替えて、かつ、前記複数の動画像データが前記記憶手段に保存された時刻が新しい順に、前記記憶手段に格納されている前記複数の動画像データの各々を前記再生手段に再生させる、映像記録再生装置。
【請求項３】
前記制御手段は、後入れ先出し法に従って、前記記憶手段に格納されている前記複数の動画像データの各々を前記再生手段に再生させる、請求項２に記載の映像記録再生装置。
【請求項４】
前記制御手段は、前記複数の動画像データの各々に関連付けられる時刻データに基づいて、各前記動画像データを前記再生手段に再生させる、請求項２に記載の映像記録再生装置。
【請求項５】
前記記憶手段は、各前記動画像データに対して昇順に与えられる一意のフレーム番号と、各前記動画像データとを格納しており、
前記制御手段は、各前記一意のフレーム番号に基づいて、各前記動画像データを前記再生手段に再生させる、請求項２に記載の映像記録再生装置。
【請求項６】
前記映像記録再生装置の周囲の異常を検知する検知手段をさらに備え、
前記記憶手段は、前記検知手段が異常を検知したことを表わす情報を、前記異常が検知された時に生成された動画像データに関連付けて格納し、
前記通信手段は、前記検知手段が異常を検知したことを表わす情報を、前記情報通信端末に送信する、請求項２に記載の映像記録再生装置。
【請求項７】
前記制御手段は、
前記情報通信端末から送信された情報の受信に応答して、前記出力源を前記記憶手段に切り替えて、かつ、前記異常が検知された時に生成された動画像データを前記再生手段に再生させる、請求項６に記載の映像記録再生装置。
【請求項８】
前記制御手段は、前記異常が検知された時に生成された動画像データを含む予め定められた一定時間の動画像データを前記再生手段に再生させる、請求項７に記載の映像記録再生装置。
【請求項９】
前記予め定められた一定時間は、
前記異常が検知された時に生成された動画像データが保存された時刻以前の一定時間と、
前記異常が検知された時に生成された動画像データが保存された時刻以降の一定時間と、
前記異常が検知された時に生成された動画像データが保存された時刻の前後一定時間とのいずれかを含む、請求項８に記載の映像記録再生装置。
【請求項１０】
前記検知手段は、
前記撮影手段から出力される動画像データに基づく画像を解析する画像解析手段と、
前記映像記録再生装置の周囲の温度変化を検知する温度センサとのいずれかを含む、請求項６に記載の映像記録再生装置。
【請求項１１】
映像表示システムであって、
請求項１〜１０のいずれかに記載の映像記録再生装置と、通信端末とを備え、
前記通信端末は、
通信回線を介して前記映像記録再生装置によって送信された画像データを受信する受信手段と、
前記画像データに基づいて映像を表示する表示手段と、
過去に遡って映像を表示する指示入力を受け付ける入力手段と、
前記指示入力に応答して逆再生要求を前記映像記録再生装置に送信する送信手段とを含み、
前記表示手段は、前記逆再生要求に応答して前記映像記録再生装置が過去に遡って再生した画像データに基づいて映像を表示する、映像表示システム。
【発明の詳細な説明】
【技術分野】
【０００１】
本発明は映像の記録および再生に関し、特に、ライブ映像の表示と録画映像の再生との制御に関する。
【背景技術】
【０００２】
動画をカメラで撮影し、監視目的に使用する技術が知られている。たとえば、特開２００５−２８６３６４号公報（特許文献１）は、緊急時に簡単な操作によって再生したい監視画像を直ちに再生することができる監視システムを開示する。
【０００３】
特開平９−１４９４０３号公報（特許文献２）は、映像監視システムを開示する。このシステムは、映像送出処理部で映像をエンドレスに蓄積しつつ映像表示処理部に伝送できるとともに、エンドレス蓄積動作を止めることなく蓄積した映像を再生し、ライブ映像と並行して伝送し、表示装置に並行表示できる映像監視システムを開示する。
【０００４】
特開平１１−２６１９９２号公報（特許文献３）は、ビデオテープレコーダ、オーディオテープレコーダのような記録装置がなくても複数の過去の映像と、対応する音声を得ることができるテレビジョンカメラを開示する。
【０００５】
特開２００２−１５２６３５号公報（特許文献４）は、決定的瞬間を簡単な操作で再生する記録再生装置を開示する。
【特許文献１】特開２００５−２８６３６４号公報
【特許文献２】特開平９−１４９４０３号公報
【特許文献３】特開平１１−２６１９９２号公報
【特許文献４】特開２００２−１５２６３５号公報
【発明の開示】
【発明が解決しようとする課題】
【０００６】
録画映像を使用する目的の１つに、遠隔地における監視がある。しかしながら、特開２００５−２８６３６４号公報に開示された技術によると、遠隔地において映像を監視することができなかった。また、特開平９−１４９４０３号公報に開示された技術によると、当該システムの使用者は、簡単な操作で録画映像を迅速に見ることができない場合があった。特開平１１−２６１９９２号公報に開示された技術によると、使用者が録画映像を再生する指示を与えることができず、意図したときに映像を視聴できない場合があった。特開２００２−１５２６３５号公報に開示された技術によると、決定的瞬間が記録されても、遠隔地から、使用者が意図した再生を実行できない場合があった。
【０００７】
本発明は、上述のような問題点を解決するためになされたものであって、その目的は、簡単な操作で録画映像を遡って視聴することができる映像記録再生装置を提供することである。本発明の他の目的は、遠隔地においても簡単な操作で録画映像を遡って視聴することができる映像表示システムを提供することである。
【課題を解決するための手段】
【０００８】
上記の課題を解決するために、この発明のある局面に従うと、通信回線に接続された情報通信端末に画像データを送信する映像記録再生装置が提供される。この装置は、通信回線を介して情報通信端末と通信する通信手段と、撮影により動画像データをデータを生成して動画像データを出力するカメラと、カメラから出力される動画像データを格納するメモリと、メモリに格納されている動画像データを再生する再生手段と、通信手段に対する動画像データの出力源を、カメラとメモリとの間で切り替える制御手段とを備える。制御手段は、情報通信端末から送信された信号から動画像データを逆再生する指示を検出するまで、出力源をカメラに設定し、指示を検出すると、出力源をメモリに切り替えて、かつ、メモリに格納された時刻が新しい順に、メモリに格納されている動画像データを再生手段に再生させる。
【０００９】
この発明の他の局面に従うと、通信回線に接続された情報通信端末に画像データを送信する映像記録再生装置が提供される。この装置は、通信回線を介して情報通信端末と通信する通信手段と、撮影により動画像データをデータを生成して動画像データを出力する撮影手段と、撮影手段から出力される複数の動画像データを格納する記憶手段と、記憶手段に格納されている複数の動画像データの各々を再生する再生手段と、通信手段に対する動画像データの出力源を、撮影手段と記憶手段との間で切り替える制御手段とを備える。制御手段は、情報通信端末から送信された信号から、動画像データを逆再生する指示を検出するまで、出力源を撮影手段に設定し、指示を検出すると、出力源を記憶手段に切り替えて、かつ、複数の動画像データが記憶手段に保存された時刻が新しい順に、記憶手段に格納されている複数の動画像データの各々を再生手段に再生させる。
【００１０】
好ましくは、制御手段は、後入れ先出し法に従って、記憶手段に格納されている複数の動画像データの各々を再生手段に再生させる。
【００１１】
好ましくは、制御手段は、複数の動画像データの各々に関連付けられる時刻データに基づいて、各動画像データを再生手段に再生させる。
【００１２】
好ましくは、記憶手段は、各動画像データに対して昇順に与えられる一意のフレーム番号と、各動画像データとを格納している。制御手段は、各一意のフレーム番号に基づいて、各動画像データを再生手段に再生させる。
【００１３】
好ましくは、映像記録再生装置は、この装置の周囲の異常を検知する検知手段をさらに備える。記憶手段は、検知手段が異常を検知したことを表わす情報を、異常が検知された時に生成された動画像データに関連付けて格納する。通信手段は、検知手段が異常を検知したことを表わす情報を、情報通信端末に送信する。
【００１４】
好ましくは、制御手段は、情報通信端末から送信された情報の受信に応答して、出力源を記憶手段に切り替えて、かつ、異常が検知された時に生成された動画像データを再生手段に再生させる。
【００１５】
好ましくは、制御手段は、異常が検知された時に生成された動画像データを含む予め定められた一定時間の動画像データを再生手段に再生させる。
【００１６】
好ましくは、予め定められた一定時間は、異常が検知された時に生成された動画像データが保存された時刻以前の一定時間と、異常が検知された時に生成された動画像データが保存された時刻以降の一定時間と、異常が検知された時に生成された動画像データが保存された時刻の前後一定時間とのいずれかを含む。
【００１７】
好ましくは、検知手段は、撮影手段から出力される動画像データに基づく画像を解析する画像解析手段と、映像記録再生装置の周囲の温度変化を検知する温度センサとのいずれかを含む。
【００１８】
この発明の他の局面に従うと、映像表示システムが提供される。このシステムは、上記のいずれかに記載の映像記録再生装置と通信端末とを備える。通信端末は、通信回線を介して映像記録再生装置によって送信された画像データを受信する受信手段と、画像データに基づいて映像を表示する表示手段と、過去に遡って映像を表示する指示入力を受け付ける入力手段と、指示入力に応答して逆再生要求を映像記録再生装置に送信する送信手段とを含む。表示手段は、逆再生要求に応答して映像記録再生装置が過去に遡って再生した画像データに基づいて映像を表示する。
【発明の効果】
【００１９】
本発明に係る映像記録再生装置によると、簡単な操作で録画映像を遡って視聴することができる。
【発明を実施するための最良の形態】
【００２０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２１】
＜第１の実施の形態＞
図１を参照して、本発明の第１の実施の形態に係る映像表示システムについて説明する。図１は、映像表示システム１０の概念的な構成を表わす図である。映像表示システム１０は、監視装置１００と情報通信端末１１０とを備える。監視装置１００と情報通信端末１１０とはネットワーク１２０によって通信可能なように接続される。
【００２２】
監視装置１００は、カメラ３２０を含む。監視装置１００は、カメラ３２０によって生成された画像データをフレームごとに情報通信端末１１０に送信する。ある局面において、情報通信端末１１０は、携帯電話、パーソナルコンピュータその他の通信機能と映像表示機能とを有する情報処理装置によって実現される。情報通信端末１１０は、画像を表示するディスプレイ１１２を含む。
【００２３】
図１（Ａ）を参照して、監視装置１００は、ライブ映像を表示するためのフレーム１３１，１３２，１３３，１３４を、情報通信端末１１０に向けて順次送信する。情報通信端末１１０は、各フレームを受信すると、そのフレーム順に従ってディスプレイ１１２に映像を表示する。情報通信端末１１０の使用者は、監視装置１００から離れた場所に存在していても、その監視装置１００によって取得された映像を視聴することができる。
【００２４】
さらに、本実施の形態に係る映像表示システム１０は、ライブ映像として表示された画像を遡って再生することができる機能を有する。具体的には、情報通信端末１１０の使用者がライブ映像の視聴中に、逆再生指示（映像を遡って再生させるための指示を言う。）を与えると、情報通信端末１１０はその逆再生指示を監視装置１００に送信する。監視装置１００は、その逆再生指示の受信に応答して、最後に送信したライブ映像から遡って過去のフレームを記憶装置から読み出し、その読み出したデータをフレームごとに情報通信端末１１０に送信する。
【００２５】
たとえば、図１（Ｂ）を参照して、ライブ映像の表示時刻が「１２：００：００」であるときに当該使用者が逆再生指示を入力すると、情報通信端末１１０は、その指示の入力に応じて逆再生要求を生成し、その生成した要求を監視装置１００に送信する。監視装置１００は、逆再生要求の受信に応答して、生成時刻が「１２：００：００」であるフレームから遡って過去に蓄積されたフレームを順次読み出す。監視装置１００は、たとえばフレーム１４１，１４２，１４３，１４４を順次読み出してその読み出した各フレームをネットワーク１２０を介して情報通信端末１１０に送信する。情報通信端末１１０は、その受信したデータに基づいて過去に記録された映像をディスプレイ１１２に表示する。
【００２６】
図２を参照して、本発明の第１の実施の形態に係る監視装置１００の構成について説明する。図２は、監視装置１００を実現する機能の構成を表わすブロック図である。監視装置１００は、通信部２１０と、撮影部２２０と、記憶部２３０と、再生部２４０と、制御部２５０とを備える。
【００２７】
通信部２１０は、監視装置１００が接続される通信回線（たとえばインターネット、ＬＡＮ）を介して情報通信端末１１０と通信する。
【００２８】
撮影部２２０は、たとえばＣＣＤ（Charge Coupled Device）を有するカメラ、ＣＭＯＳ（Complementary Metal-Oxide Semiconductor）素子を有するカメラ等として実現される。
【００２９】
記憶部２３０は、撮影部２２０から出力される複数の動画像データをそれぞれ格納する。記憶部２３０は、たとえばハードディスク装置、フラッシュメモリその他の不揮発性の記憶媒体として実現される。
【００３０】
再生部２４０は、記憶部２３０に格納されている複数の動画像データの各々を再生する。
【００３１】
制御部２５０は、通信部２１０に対する動画像データの出力源を、撮影部２２０と記憶部２３０との間で切り換える。より具体的には、制御部２５０は、情報通信端末１１０によって送信された信号から、動画像データを逆再生する指示（逆再生要求）を検出するまで、当該出力源を撮影部２２０に設定する。制御部２５０は、情報通信端末１１０からその逆再生要求を検出すると、出力源を記憶部２３０に切り換える。制御部２５０は、さらに、複数の動画像データが記憶部２３０に保存された時刻が新しい順に、記憶部２３０に格納されている複数の動画像データの各々を再生部２４０に再生させる。再生部２４０がそのデータを再生すると、通信部２１０は、その再生されたデータを、情報通信端末１１０に向けて順次送信する。
【００３２】
ある局面において、制御部２５０は、後入れ先出し法（ＬＩＦＯ（Last In First Out））に従って、記憶部２３０に格納されている複数の動画像データの各々を再生部２４０に再生させる。他の局面において、制御部２５０は、複数の動画像データの各々に関連付けられる時刻データに基づいて、各動画像データを再生部２４０に再生させる。
【００３３】
他の局面において、記憶部２３０は、各動画像データに対して昇順に与えられる一意のフレーム番号と各動画像データとを格納している。制御部２５０は、各一意のフレーム番号に基づいて、各動画像データを再生部２４０に再生させる。
【００３４】
他の局面において、監視装置１００は、監視装置１００の周囲の異常を検知する検知部をさらに備える。記憶部２３０は、当該検知部が異常を検知したことを表わす情報を、異常が検知されたときに生成された動画像データに関連付けて格納する。検知部は、たとえば昇電センサ、画像解析装置などとして実現される。画像解析装置は、画像データから特徴量を算出し、予め与えられた教示データと、その算出したデータとを比較する。これらのデータが一致した場合、画像解析装置は、当該画像データからは異常が検出されなかったと判定する。これらのデータが一致しない場合、画像解析装置は、その画像データが予め登録された教示データと異なると判定する。通信部２１０は、検知部が異常を検知したことを表わす情報を、情報通信端末１１０に送信する。
【００３５】
図３を参照して、本発明の実施の形態に係る監視装置１００の具体的構成について説明する。図３は、監視装置１００のハードウェア構成を表わすブロック図である。監視装置１００は、通信インターフェイス３１０と、カメラ３２０と、記憶装置３３０と、制御装置３５０と、スイッチ３６０と、文字合成回路３７０とを備える。記憶装置３３０は、録画部３３２と、再生部３３４とを含む。制御装置３５０は、再生コントローラ３５２と、通信コントローラ３５４とを含む。
【００３６】
監視装置１００はインターネットその他のネットワーク１２０に接続されている。ネットワーク１２０には、基地局３８０が接続されている。基地局３８０は、携帯電話９００と通信する。
【００３７】
携帯電話９００は、本実施の形態における情報通信端末１１０として機能する。
監視装置１００は通信インターフェイス３１０を介して動画像データを携帯電話９００に送信する。携帯電話９００は、その使用者によって与えられる操作入力に基づいて、時間を遡って映像を再生する要求（逆再生要求）を生成し、その生成した要求を監視装置１００に送信する。より具体的には、監視装置１００において、通信インターフェイス３１０は、携帯電話９００との間でＳＩＰ（Session Initiation Protocol）に従って通信セッションを形成する。
【００３８】
カメラ３２０は、制御装置３５０から与えられる制御信号に従って撮影動作を実行して動画像データを生成し、その生成した画像データを記憶装置３３０に送信する。記憶装置３３０は、その動画像データを格納する。記憶装置３３０におけるデータ構造は、後述する。より具体的には、カメラ３２０から出力される動画像データのうち、ライブ映像に相当するデータは、記憶装置３３０とスイッチ３６０とにそれぞれ入力される。記憶装置３３０に入力されたデータは、録画部３３２によってメモリ領域に順次書き込まれる。一方、スイッチ３６０に送られたデータは、スイッチ３６０の切り換え動作に従って、その後の出力の可否が切り換えられる。この出力の切り換えは、制御装置３５０から与えられる制御信号に従って実現される。
【００３９】
再生コントローラ３５２は、再生部３３４によって再生されたデータを携帯電話９００に送信するために、スイッチ３６０の信号入力源を再生部３３４となるように制御する。記憶装置３３０において、再生部３３４は、再生コントローラ３５２から与えられる再生指示に従って、メモリ領域に格納されているデータを読み出し、その読み出したデータをスイッチ３６０に送出する。したがって、カメラ３２０から送られるライブ映像のデータは送信されなくなる。
【００４０】
再生部３３４は、再生コントローラ３５２の指示に従ってデータを再生しているとき、その再生したデータの情報（再生フレーム情報）を再生コントローラ３５２に送出する。再生フレーム情報は、たとえば、フレーム番号と、そのフレームが記録された時刻情報とを含む。再生コントローラ３５２は、再生フレーム情報に基づいて、そのフレームが録画されたフレームの再生であることを表わす情報を生成し、その生成した情報を文字合成回路３７０に送出する。
【００４１】
文字合成回路３７０は、再生コントローラ３５２から送られたその情報と、スイッチ３６０から出力されたフレームとを合成し、合成後の画像データを通信インターフェイス３１０に出力する。
【００４２】
通信コントローラ３５４は、携帯電話９００のアドレス情報その他パケットを送信するために必要なヘッダ情報を通信インターフェイス３１０に送出する。通信インターフェイス３１０は、その情報と文字合成回路３７０から送られた画像データとを用いてパケットを生成し、その生成したパケットをネットワーク１２０に送出する。
【００４３】
そのパケットは、基地局３８０を介して携帯電話９００に送信される。携帯電話９００は、そのパケットを受信すると、そのパケットに基づいて映像をディスプレイに表示する。このようにして再生されたパケットが監視装置１００から携帯電話９００に向けて順次送られると、携帯電話９００は、特定のタイミングから時間を遡って映像を表示する。このタイミングは、たとえば、逆再生要求が生成された時刻、あるいは、監視装置１００において異常が検知された時刻である。
【００４４】
次に、図４を参照して、本実施の形態に係る監視装置１００のデータ構造について説明する。図４は、記憶装置３３０におけるデータの格納の一態様を概念的に表わす図である。記憶装置３３０は、データを格納するための複数のメモリ領域を含む。
【００４５】
フレーム番号は、メモリ領域４１０に格納されている。フレーム番号は、カメラ３２０から出力されたデータが録画部３３２によって書き込まれるときに昇順に作成され、各フレームに関連付けられる。
【００４６】
画像データは、メモリ領域４２０に格納されている。画像データのデータ形式は、限られない。
【００４７】
画像データが録画部３３２によって記録された保存時刻は、メモリ領域４３０に格納されている。この保存時刻データは、たとえば制御装置３５０によって計測される時刻であるが、他の時刻が使用されてもよい。
【００４８】
図５を参照して、映像表示システム１０がライブ映像を表示しているときにおけるフレームの流れについて説明する。図５は、監視装置１００の内部におけるフレームの流れを表わす図である。
【００４９】
撮影部２２０によって生成された画像データは、記憶部２３０に逐次保存される。たとえば、記憶部２３０は、予め定められた間隔に従って、フレーム５０１，５０２，５０３，５０４，５０５，５０６，５０７，５０８を格納している。撮影部２２０が新たな撮影によりフレーム５０９を生成すると、フレーム５０９は記憶部２３０に送られ、録画部３３２によって記録される。一方、監視装置１００がライブ映像を表示するための動作を実行しているとき、撮影部２２０によって生成されたフレーム５０９は、通信部２１０にも送信される。このとき、スイッチ３６０は、撮影部２２０と通信部２１０との間の接続関係を、データ伝送を可能な状態に切り換える。通信部２１０は、フレーム５０９をネットワーク１２０に向けて送信する。
【００５０】
図６を参照して、本発明の実施の形態に係る監視装置１００の制御構造について説明する。図６は、監視装置１００の制御装置３５０が実行する一連の動作の一部を表わすフローチャートである。
【００５１】
ステップＳ６１０にて、制御装置３５０は、その動作モードを待機状態に切り換える。ここで待機状態とは、具体的には、カメラ３２０から送られた画像データが記憶装置３３０に記録されることを言う。
【００５２】
ステップＳ６２０にて、制御装置３５０は、通信インターフェイス３１０から送られる信号に基づいて、情報通信端末１１０から映像配信要求を受信したか否かを判定する。この判定は、たとえば映像配信のために予め規定された制御コマンドがその受信信号に含まれているか否かに基づいて行なわれる。制御装置３５０は、その映像配信要求を受信したと判定すると（ステップＳ６２０にてＹＥＳ）、制御をステップＳ６３０に切り換える。そうでない場合には（ステップＳ６２０にてＮＯ）、制御装置３５０は、制御をステップＳ６１０に戻す。
【００５３】
ステップＳ６３０にて、制御装置３５０は、カメラ３２０によって生成された画像データをリアルタイムで配信する。より具体的には、制御装置３５０の再生コントローラ３５２は、スイッチ３６０に信号を送信することによりカメラ３２０と文字合成回路３７０との間のデータ伝送を可能にする。再生コントローラ３５２は、再生部３３４に対して記憶装置３３０に格納されているデータの再生を禁止する。
【００５４】
これにより、カメラ３２０から出力される画像データは、記憶装置３３０に記録され、また、スイッチ３６０にも送られる。スイッチ３６０は、信号の入力源をカメラ３２０にのみ切り換えるため、記憶装置３３０に格納されているデータが仮に再生されたとしても、スイッチ３６０はカメラ３２０からの画像データを文字合成回路３７０に送信する。文字合成回路３７０がリアルタイムで映像を配信している情報（たとえば「Ｌｉｖｅ」と表示するためのデータ）を画像データに付加すると、合成された画像データが通信インターフェイス３１０に与えられる。通信インターフェイス３１０は、その画像データを携帯電話９００に送信する。携帯電話９００の使用者は、監視装置１００によってリアルタイムで撮影されている映像を視聴することができる。
【００５５】
ステップＳ６４０にて、制御装置３５０は、情報通信端末から逆再生要求を受信したか否かを判定する。ある局面において、この判定は、通信インターフェイス３１０から制御装置３５０に与えられる信号に基づいて行なわれる。制御装置３５０が、逆再生要求を受信したと判定すると（ステップＳ６４０にてＹＥＳ）、制御をステップＳ６５０に切り換える。そうでない場合には（ステップＳ６４０にてＮＯ）、制御装置３５０は、制御をステップＳ６３０に戻す。
【００５６】
ステップＳ６５０にて、制御装置３５０は、画像データの出力源をカメラ３２０から記憶装置３３０に切り換える。これにより、カメラ３２０から出力された画像データは、スイッチ３６０以降に送られなくなる。再生コントローラ３５２は、再生部３３４に対して記憶装置３３０に格納されている画像データ（メモリ領域４２０）を再生する指示を送信する。再生部３３４は、その再生指示に従って画像データを順次読み出して、その読み出した画像データをスイッチ３６０に送信する。
【００５７】
より具体的には、再生コントローラ３５２は、逆再生要求が与えられた時刻を含む指示を再生部３３４に送信する。再生部３３４は、その指示に含まれる時刻データに従って、メモリ領域４３０に格納されている保存時刻を参照しながら、逆再生を開始する時刻を決定する。再生部３３４は、逆再生要求が与えられた時刻の直前の保存時刻を再生の開始時刻として決定する。再生部３３４は、その時刻に関連付けられる画像データ（メモリ領域４２０）を読み出して、録画映像としてスイッチ３６０に送信する。このとき、スイッチ３６０は、再生コントローラ３５２の制御によって記憶装置３３０と文字合成回路３７０との接続関係を伝送可能な状態に切り換えているため、録画映像は文字合成回路３７０に送信される。
【００５８】
再生コントローラ３５２は、監視装置１００から送信される映像が録画映像であることを表わす表示（たとえば「Ｒｅｐｌａｙ」と表示するためのデータ）をその画像データに付加するように命令を送信する。文字合成回路３７０は、そのデータと画像データとを合成し、合成後の画像データを通信インターフェイス３１０に送信する。携帯電話９００は、そのようにして再生された映像信号を受信すると、その信号に従った映像をディスプレイに表示させる。
【００５９】
ステップＳ６６０にて、制御装置３５０は、携帯電話９００から停止要求を受信したか否かを判定する。この判定は、通信インターフェイス３１０から制御装置３５０に送られる信号に基づいて行なわれる。制御装置３５０は、停止要求を受信したと判定すると（ステップＳ６６０にてＹＥＳ）、制御をステップＳ６７０に切り換える。そうでない場合には（ステップＳ６６０にてＮＯ）、制御をステップＳ６５０に戻す。
【００６０】
ステップＳ６７０にて、制御装置３５０は、携帯電話９００との通信を遮断するか否かを判定する。この判定は、通信インターフェイス３１０から制御装置３５０に送られる信号が通信の遮断要求を含むか否かに基づいて行なわれる。制御装置３５０が、通信を遮断すると判定すると（ステップＳ６７０にてＹＥＳ）、制御をステップＳ６８０に切り換える。そうでない場合には（ステップＳ６７０にてＮＯ）、制御装置３５０は、制御をステップＳ６３０に戻す。
【００６１】
ここで、図７を参照して、映像表示システム１０が映像を逆再生する動作を行なっている場合のフレームの流れについて説明する。図７は、監視装置１００におけるフレームの流れを表わす図である。
【００６２】
監視装置１００が携帯電話９００から逆再生要求を受信すると、その要求は通信部２１０から制御部２５０に送られる。制御部２５０は、逆再生要求を検知すると、記憶部２３０に記憶されているフレームを遡って再生するための指示を与える。一方、記憶部２３０には、撮影部２２０によって生成されたフレームが逐次送られる。記憶部２３０は、制御部２５０から逆再生のための指示が与えられると、撮影部２２０から送られた画像データの記録とともに、逆再生要求に従った画像データの再生を実行する。
【００６３】
図７に示される例では、記憶部２３０に最後に格納されたフレーム５０８を再生フレームとしてそのフレームから過去に記録されたフレームを順次読み出し、通信部２１０に送信する。その結果、映像表示システム１０が逆再生を実行しているとき、通信部２１０は、フレーム５０８、フレーム５０７、フレーム５０６の順に各フレームを送信する。
【００６４】
次に、図８を参照して、本実施の形態に係る情報通信端末１１０について説明する。図８は、情報通信端末１１０を実現する機能の構成を表わすブロック図である。情報通信端末１１０は、操作部８１０と、通信部８２０と、記憶部８３０と、表示部８４０と、制御部８５０とを含む。
【００６５】
操作部８１０は、情報通信端末１１０に対する操作の入力を受け付ける。操作部８１０は、その操作に応じた信号を制御部８５０に送出する。
【００６６】
通信部８２０は、制御部８５０による制御に従って、ネットワーク１２０を介して監視装置１００との通信を確立する。通信部８２０は、一方、ネットワーク１２０を介して、監視装置１００から送られた信号を受信する。
【００６７】
記憶部８３０は、通信部８２０によって受信された信号を格納する。記憶部８３０は、ある局面において、データを不揮発的に保持できるメモリ、たとえばフラッシュメモリが使用される。あるいは、他の局面において、揮発的に格納するＲＡＭ（Random Access Memory）が使用されてもよい。
【００６８】
表示部８４０は、制御部８５０の制御に従って、記憶部８３０に格納されているデータに基づいて映像を表示する。より具体的には、表示部８４０は、監視装置１００から送られた画像データに基づいて映像を表示する。表示部８４０は、液晶ディスプレイ、有機ＥＬ（Electros Luminescence）その他の表示デバイスによって実現される。
【００６９】
図９を参照して、情報通信端末１１０の具体的構成について説明する。図９は、情報通信端末１１０の一態様である携帯電話９００のハードウェア構成を表わすブロック図である。携帯電話９００は、アンテナ９０８と、通信装置９０２と、操作ボタン９２０と、カメラ９４０と、フラッシュメモリ９４４と、ＲＡＭ９４６と、データ用ＲＯＭ（Read Only Memory）９４８と、メモリカード駆動装置９８０と、ＣＰＵ（Central Processing Unit）９１０と、音声信号処理回路９７０と、マイク９７２と、スピーカ９７４と、ディスプレイ９５０と、ＬＥＤ（Light Emitting Diode）９７６と、データ通信Ｉ／Ｆ（Interface）９７８と、バイブレータ９８４とを含む。メモリカード駆動装置９８０には、メモリカード９８２が装着可能である。
【００７０】
アンテナ９０８によって受信された信号は、通信装置９０２によってＣＰＵ９１０に伝送される。ＣＰＵ９１０は、その信号を音声信号処理回路９７０に転送する。音声信号処理回路９７０は、その信号に対して予め設定された信号処理を実行し、処理後の信号をスピーカ９７４に送出する。スピーカ９７４は、その信号に基づいて音声を出力する。
【００７１】
マイク９７２は、携帯電話９００に対する発話を受け付けて、その発話に応じた信号を音声信号処理回路９７０に送出する。音声信号処理回路９７０は、その信号に基づいて通話のために予め規定された信号処理を実行し、処理によって生成されたデータをＣＰＵ９１０に送出する。ＣＰＵ９１０は、その信号を通信装置９０２に送出する。通信装置９０２がアンテナ９０８を介してその信号を発信すると、携帯電話９００の使用者は、他の相手と通話することができる。
【００７２】
また、アンテナ９０８は、ある局面において、監視装置１００から送られた画像データを受信する。通信装置９０２は、その画像データをＣＵＰ９１０に送信する。ＣＰＵ９１０は、そのデータをディスプレイ９５０に送出し、そのデータに基づく映像をディスプレイ９５０に表示させる。これにより、携帯電話９００は、表示システム１０を構成する情報通信端末１１０として監視装置１００によって生成された画像データに基づく映像を表示することができる。
【００７３】
カメラ９４０は、操作ボタン９２０に対する操作に基づいて被写体を撮影し、その撮影により取得された信号をＣＰＵ９１０に送出する。
【００７４】
フラッシュメモリ９４４は、ＣＰＵ９１０から送られるデータを格納する。逆に、ＣＰＵ９１０は、フラッシュメモリ９４４に格納されているデータを読み出し、その読み出したデータを用いて予め規定された処理を実行する。予め規定された処理は、後述するように、監視装置１００によって送られているデータを逆再生するための要求を生成することを含む。
【００７５】
メモリカード駆動装置９８０は、メモリカード９８２に格納されているデータを読み出し、その読み出したデータをＣＰＵ９１０に送出する。逆に、メモリカード駆動装置９８０は、ＣＰＵ９１０によって与えられたデータをメモリカード９８２のメモリ領域に格納する。
【００７６】
データ用ＲＯＭ９４８は、携帯電話９００に予め規定された処理を実行させるためのデータを格納する。格納されるデータは、通信あるいは通話を制御するためのプログラム、携帯電話９００の製造番号その他携帯電話９００に固有なデータを含む。さらに、データ用ＲＯＭ９４８は、ＳＩＰに従って監視装置１００と通信するためのプログラムを実行可能な形式で格納する。
【００７７】
音声信号処理回路９７０は、前述のように、通話に用いられる信号に対する処理を実行する。なお、ＣＰＵ９１０と音声信号処理回路９７０とが一体としてシステム制御回路のように構成されてもよい。
【００７８】
ＬＥＤ９７６は、ＣＰＵ９１０からの信号に基づいて、予め定められた発光動作を実現する。たとえば、ＬＥＤ９７６が無数の色を表示可能な場合には、ＬＥＤ９７６は、ＣＰＵ９１０から出力される信号に含まれるデータに基づいて、そのデータに関連付けられる色で発光する。
【００７９】
データ通信Ｉ／Ｆ９７８は、通信用のケーブルの装着を受け付ける。データ通信Ｉ／Ｆ９７８は、ＣＰＵ９１０から出力される信号を当該ケーブルに対して送出する。あるいは他の局面において、データ通信Ｉ／Ｆ９７８は、当該ケーブルを介して受信される信号をＣＰＵ９１０に対して送出する。ここで送受信される信号は、たとえば監視装置１００から送られた画像データ、あるいは監視装置１００に与える制御データなどを含む。
【００８０】
バイブレータ９８４は、ＣＰＵ９１０から出力される信号に基づいて、予め定められた周波数で振動動作を実行する。
【００８１】
なお、携帯電話９００の基本的な動作は、当業者にとって容易に理解できるものである。したがって、それらの説明は繰返さない。
【００８２】
図１０を参照して、携帯電話９００の制御構造について説明する。図１０は、携帯電話器９００が備えるＣＰＵ９１０が実行する一連の動作の一部を表わすフローチャートである。
【００８３】
ステップＳ１０１０にて、ＣＰＵ９１０は、通信装置９０２を介して、ＳＩＰに従って監視装置１００との通信を確立する。ステップＳ１０２０にて、ＣＰＵ９１０は、操作ボタン９２０から与えられる信号に基づいて、リアルタイム表示の指示の入力を検知する。リアルタイム表示とは、監視装置１００によって取得される画像データを、ライブ映像として、リアルタイムで表示することをいう。
【００８４】
ステップＳ１０２２にて、ＣＰＵ９１０は、その指示の入力に応答して、リアルタイム再生要求を生成し、その生成した要求を通信装置９０２を介して監視装置１００に対して送信する。その後、携帯電話９００と監視装置１００とは、画像データの送受信のために予め規定されたネゴシエーションを実行する。監視装置１００が携帯電話９００に画像データを送信することを許可すると、監視装置１００は、携帯電話９００に対してカメラ３２０からの画像データの送信を開始する。
【００８５】
ステップＳ１０２４にて、ＣＰＵ９１０は、通信装置９０２を介して映像データをリアルタイムで受信する。ステップＳ１０２６にて、ＣＰＵ９１０は、その受信した映像データに基づく映像をディスプレイ９５０に表示させる。
【００８６】
ステップＳ１０３０にて、ＣＰＵ９１０は、操作ボタン９２０から与えられる信号に基づいて、映像を遡って再生する指示が入力されたか否かを判定する。この判定は、操作ボタン９２０から送られる信号が、予め規定されたコマンドであって逆再生を表わすコマンドを含むか否かに基づいて行なわれる。ＣＰＵ９１０は、逆再生する指示が携帯電話９００に入力されたと判定すると（ステップＳ１０３０にてＹＥＳ）、制御をステップＳ１０３２に切り換える。そうでない場合には（ステップＳ１０３０にてＮＯ）、ＣＰＵ９１０は、制御をＳ１０２４に戻す。
【００８７】
ステップＳ１０３２にて、ＣＰＵ９１０は、逆再生する指示の入力に応答して逆再生要求を生成する。ステップＳ１０３４にて、ＣＰＵ９１０は、その要求を含むパケットを監視装置１００に向けて送信する。そのパケットの具体的な構成は、後述する。監視装置１００が逆再生要求を受信すると、記憶装置３３０に格納されている画像データが遡って再生される。
【００８８】
ステップＳ１０３６にて、ＣＰＵ９１０は、通信装置９０２に対して、監視装置１００によって過去に遡って再生された映像データを受信する。ステップＳ１０３８にて、ＣＰＵ９１０は、その受信したデータに基づく映像をディスプレイ９５０に表示させる。受信されるデータは、過去に遡る順序で監視装置１００から送られているため、過去に録画された映像がその順序でディスプレイ９５０に表示される。
【００８９】
ステップＳ１０４０にて、ＣＰＵ９１０は、操作ボタン９２０から与えられる信号に基づいて、リアルタイム再生の指示が入力されたか否かを判定する。この判定は、操作ボタン９２０から送られる信号が、リアルタイム再生の指示を表わすコードを含むか否かに基づいて行なわれる。ＣＰＵ９１０は、リアルタイム再生の指示が携帯電話９００に入力されたと判定すると（ステップＳ１０４０にてＹＥＳ）、制御をステップＳ１０２２に戻す。そうでない場合には（ステップＳ１０４０にてＮＯ）、ＣＰＵ９１０は、制御をステップＳ１０５０に切り換える。
【００９０】
ステップＳ１０５０にて、ＣＰＵ９１０は、操作ボタン９２０から送られる信号に基づいて、携帯電話９００と監視装置１００との通信を遮断する指示が入力されたか否かを判定する。この判定は、操作ボタン９２０から送られる信号が、通信を遮断する指示を表わすコードを含むか否かに基づいて行なわれる。ＣＰＵ９１０は、監視装置１００との通信を遮断すると判定すると（ステップＳ１０５０にてＹＥＳ）、制御をステップＳ１０６０に切り換える。そうでない場合には（ステップＳ１０５０にてＮＯ）、ＣＰＵ９１０は、制御をステップＳ１０３６に戻す。
【００９１】
ステップＳ１０６０にて、ＣＰＵ９１０は、通信装置９０２を介して監視装置１００と通信することにより、監視装置１００との間で形成されていたセッションを終了するための処理を実行する。その処理が完了すると、携帯電話９００と監視装置１００との通信が遮断される。
【００９２】
図１１を参照して、携帯電話９００が監視装置１００に送信するパケット１１００について説明する。図１１は、パケット１１００の構成を概念的に表わす図である。パケット１１００は、ヘッダ１１１０と、逆再生要求１１２０と、逆再生開始時刻１１３０とを含む。ヘッダ１１１０は、パケット１１００の宛先アドレスとパケット１１００の送信元アドレスと、パケット送信時刻とを含む。
【００９３】
逆再生要求１１２０は、携帯電話９００が最後に受信した画像データを起点として遡って再生する要求を表わす。ある局面において、逆再生要求１１２０は、携帯電話９００と監視装置１００との間で予め規定された通信プロトコルに含まれるコードに相当する。監視装置１００は、逆再生要求１１２０を認識すると、逆再生要求１１２０に従った動作を実行する。
【００９４】
逆再生開始時刻１１３０は、携帯電話９００によって与えられる。より具体的には、ＣＰＵ９１０は、操作ボタン９２０に対する操作入力に従って逆再生指示の入力を検知すると、その入力を検知した時刻を逆再生開始時刻とする。この時刻は、たとえばＣＰＵ９１０が内蔵するクロック（図示しない）の時刻データに基づいて与えられる。あるいは、操作ボタン９２０に対する操作が行なわれたときにディスプレイ９５０に表示されているパケットに関連付けられる時刻データが、逆再生開始時刻として用いられてもよい。
【００９５】
パケット１１００が携帯電話９００から監視装置１００に送信されると、制御装置３５０は、逆再生要求１１２０と逆再生開始時刻１１３０とを検出する。より具体的には、監視装置１００において、再生コントローラ３５２は、逆再生要求１１２０に従って、逆再生開始時刻１１３０によって特定される時刻の直近の画像データを読み出すように、再生部３３４に指令を送信する。これにより、携帯電話９００から与えられた逆再生要求１１２０に従った映像の逆再生が実現される。
【００９６】
図１２を参照して、本実施の形態に係る携帯電話９００における映像の表示態様について説明する。図１２は、ディスプレイ９５０における画面を表わす図である。
【００９７】
図１２（Ａ）を参照して、ディスプレイ９５０は、監視装置１００からリアルタイムで送信される画像データに基づく映像を表示する。ディスプレイ９５０は、さらに、携帯電話９００に対して映像の再生、停止、逆再生その他の指示を受け付けるためのアイコンを表示する。図１２（Ａ）に示される例では、ディスプレイ９５０は、アイコン１２１０，１２２０，１２３０をアクティブな態様で表示する。アクティブな態様とは、すなわち、当該アイコンに対する操作入力が有効に受け付けられる状態をいう。アイコンは通常の表示パターンでディスプレイ９５０に表示される。ディスプレイ９５０は、さらに、アイコン１２４０，１２５０，１２６０，１２７０，１２８０をインアクティブな態様で表示する。インアクティブな態様とは、当該アイコンに対する操作入力が受け付けられない状態をいう。この場合、アイコンは通常よりも薄い色で表示される。ある局面において、インアクティブなアイコンは、グレイアウト表示される。
【００９８】
携帯電話９００が、監視装置１００から送られた画像データに基づく映像をリアルタイムで表示しているとき、ディスプレイ９５０には、リアルタイム表示から逆再生を行なうための指示を受け付けるアイコンを表示する。具体的には、アイコン１２３０は、逆再生の指示を受け付ける。アイコン１２２０は、逆再生においてその再生速度を倍速とする指示を受け付ける。アイコン１２１０は、画像データをフレーム単位でコマ送り再生するための指示を受け付ける。アクティブなアイコン１２１０，１２２０，１２３０の選択および確定動作は、たとえば携帯電話９００が有するカーソル移動ボタン（図示しない）の操作に応じて実現される。また、携帯電話９００の代わりにタッチパネルその他の表示デバイスおよび入力デバイスを有する装置が情報通信端末１１０として実現される場合には、アイコン１２１０，１２２０，１２３０は、ソフトウェアキーとして実現されてもよい。
【００９９】
携帯電話９００の使用者がアクティブなアイコン１２３０に対する操作（たとえば押下）を実行すると、図１２（Ｂ）に示されるように、ディスプレイ９５０は、監視装置１００に録画された映像を再生する（逆再生）。そして、アイコン１２３０は、指示の入力を受け付けないようにインアクティブな態様で表示される。一方、逆再生が行なわれている間、監視装置１００はいわば映像記録再生装置として作動することになる。そこで、ディスプレイ９５０は、監視装置１００に対して映像記録再生装置に与えられ得る指示を受け付ける各アイコンを表示する。具体的には、リアルタイムの表示のときにはインアクティブにされていたアイコン１２４０〜１２８０がアクティブな態様に表示され、指示の入力を受付可能な状態になる。アイコン１２４０は、映像再生の一時停止を受け付ける。アイコン１２５０は、再生の停止命令を受け付ける。アイコン１２６０は、逆再生されている映像を順方向に再生するための指示を受け付ける。アイコン１２７０は、順方向の再生を倍速で行なうための指示を受け付ける。アイコン１２８０は、順方向の再生をフレーム単位（コマ送り）で実行するための操作を受け付ける。
【０１００】
以上のようにして、本発明の第１の実施の形態に係る映像表示システム１０によると、情報通信端末として機能する携帯電話９００は、監視装置１００から送られた映像をリアルタイムでライブ表示する。このとき、携帯電話９００は、映像を逆再生する指示入力を受け付けるアイコンを表示する。携帯電話９００の使用者が、そのアイコンを選択する操作を実行すると、携帯電話９００は、映像を逆再生する要求を監視装置１００に送信する。監視装置１００は、その要求に応答して、記憶装置３３０に格納した画像データを時間を遡る順序に従って読み出して、その画像データを携帯電話９００に順次送信する。携帯電話９００は、各映像を表示する。
【０１０１】
この場合、携帯電話９００の使用者は、ライブ表示から逆再生への切り換えを、逆再生の指示を受け付けるアイコンを選択する１回の操作によって実現することができる。これにより、映像の表示態様を簡単に実現することができる。
【０１０２】
＜第２の実施の形態＞
以下、本発明の第２の実施の形態について説明する。本実施の形態に係る監視装置１３００は、監視装置１３００の周辺における異常を検知し、その検知を画像とともに送信する機能を有する点で、前述の第１の実施の形態における監視装置１００と異なる。
【０１０３】
図１３を参照して、本発明の第２の実施の形態に係る監視装置１３００の構成について説明する。図１３は、監視装置１３００を実現する機能の構成を表わすブロック図である。監視装置１３００は、図２に示される構成に加えて、検知部１３１０をさらに備える。ある局面において、検知部１３１０は、撮影部２２０から送られる画像データに基づいて監視装置１３００の周囲の異常を検知する。他の局面において、検知部１３１０は、監視装置１３００の設置場所における温度変化、音あるいは光量の変化に基づいて異常を検知する。検知部１３１０は、その検知の結果を表わす信号を制御部２５０に送出する。制御部２５０は、その検知の結果と画像データとを記憶部２３０に格納する。また、制御部２５０は、その異常を表わす信号を通信部２１０を介して情報通信端末１１０に送信する。このとき送信される情報は、検知部１３１０によって検知された異常を特定するためのコードをさらに含んでもよい。
【０１０４】
図１４を参照して、本実施の形態に係る監視装置１３００の具体的構成について説明する。図１４は、監視装置１３００のハードウェア構成を表わすブロック図である。監視装置１３００は、図３に示される監視装置１００の構成に対して、制御装置３５０に代えて制御装置１３５０を備え、さらに、画像解析回路１３１０を備える。
【０１０５】
カメラ３２０から出力された画像データは、画像解析回路１３１０に入力される。画像解析回路１３１０は、その画像データと、記憶装置３３０に予め格納されている教示データ（図示しない）とに基づいて、カメラ３２０による撮影範囲における異常の有無を検出する。画像解析回路１３１０は、たとえば、各フレームにおける静止画像を比較し、動体の有無を検出する。動体は、たとえば監視装置１３００を設置した家庭の住人、その家への来訪者、自動車その他の車両、動物などである。
【０１０６】
画像解析回路１３１０は、静止画像の中に動体を検出すると、その検出結果を制御装置１３５０に送信する。画像解析回路１３１０から出力される信号は、通信コントローラ３５４に入力される。通信コントローラ３５４は、通信インターフェイス３１０と、再生コントローラ３５２とに向けて、その結果を表わす信号を送信する。
【０１０７】
再生コントローラ３５２は、その解析結果と、その解析結果を生じた画像データとを関連付けて格納するように、記憶装置３３０に指示を送信する。記憶装置３３０の録画部３３２は、その指示の入力に応答して、画像解析回路１３１０から送られる検知結果と、カメラ３２０から送られる画像データとを関連付けて、メモリ領域に格納する。このデータの格納の態様は、後述する。
【０１０８】
通信インターフェイス３１０は、画像解析回路１３１０による解析結果を単独であるいは、文字合成回路３７０から送られる画像データとともに情報通信端末として機能するＰＣ（Personal Computer）１３９０に送信する。ＰＣ１３９０は、たとえば警備会社その他の保安会社、一般の事業所等に設置されている。設置場所は上記の場所に限られない。
【０１０９】
ＰＣ１３９０は、インターネットサービスプロバイダ（ＩＳＰ（Internet Service Provider））１３８０に接続され、監視装置１３００とＳＩＰに従った通信セッションを確立する。ＰＣ１３９０は、監視装置１３００から画像データを受信すると、それを備えるディスプレイ（図示しない）に映像を表示する。また他の局面において、画像解析回路１３１０が検知した異常を表わす信号を受信すると、ＰＣ１３９０は、その信号に応じて予め規定されているメッセージあるいはアイコンをそのディスプレイに表示する。これにより、ＰＣ１３９０のオペレータ（たとえば警備会社の警備員、あるいは外出している住人）は、監視装置１３００が何らかの異常を検知したことを遠隔地においても知ることができる。
【０１１０】
図１５を参照して、本実施の形態に係る監視装置１３００のデータ構造について説明する。図１５は、記憶装置３３０におけるデータの格納の一態様を概念的に表わす図である。記憶装置３３０は、図４に示される構成に加えて、解析結果フラグを格納するためのメモリ領域４４０をさらに含む。解析結果フラグは、画像解析回路１３１０による解析の結果を表わす。具体的には、カメラ３２０によって出力された各画像データについて解析を行なった結果、異常が検知されない場合、「ＯＫ」を表わす解析結果フラグがその画像データに割り当てられる。一方、画像解析回路１３１０が画像データから何らかの異常を検知すると、「ＮＧ」を表わす解析結果フラグがその画像データに割り当てられる。
【０１１１】
図１５に示される例では、「ＯＫ」と表わす解析結果フラグは、フレーム番号０００１，０００２，０００４に対応する各画像データに割り当てられている。一方、「ＮＧ」と表わす解析結果フラグは、フレーム番号０００３に対応する画像データは、割り当てられる。したがって、再生コントローラ３５２は、メモリ領域４４０に格納されている解析結果フラグに基づいて、その画像データが正常であるか異常であるかを判定することができる。たとえば、逆再生要求がＰＣ１３９０から監視装置１３００に送られると、再生コントローラ３５２は、その逆再生指示を生成する原因となったフレーム番号から過去に遡って解析結果フラグが「ＮＧ」である最初の画像データを特定する。再生コントローラ３５２は、その画像データから過去に遡って各画像データを再生し、その再生した画像データをＰＣ１３９０に送信する。これにより、異常が検知されたときに撮影された画像がＰＣ１３９０に過去に遡るようにして表示される。
【０１１２】
なお、他の局面において、異常が検知された時を含む一定の時間（たとえば予め定められた時間）に対応する画像データが使用されてもよい。また他の局面において、異常が検知された時に生成された画像データが保存された時刻の前後一定時間あるいはその時刻以降の一定時間などが使用されてもよい。
【０１１３】
以上詳述した本実施の形態に係る映像表示システム１０は、監視装置１００および情報通信端末１１０は、予め特定された処理を実行するように構成されたプログラムをプロセッサが実行することにより実現される。他の局面において、各処理の全部または一部は、回路素子その他のハードウェアによって実現されてもよい。
【０１１４】
また、本実施の形態においては、逆再生は時間データに従って実現されたが、逆再生の順序は時間データに従うものに限られない。たとえば、各フレームに割り当てられるフレーム番号（メモリ領域４１０）に従って逆再生されてもよい。この場合、フレーム番号は時間データに沿って時系列的に生成されているため、保存時刻（メモリ領域４３０）に基づいて逆再生する場合と同様の効果が得られる。
【０１１５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１６】
【図１】本発明の第１の実施の形態に係る映像表示システムの概念的な構成を表わす図である。
【図２】本発明の第１の実施の形態に係る監視装置１００の構成を表わすブロック図である。
【図３】本発明の実施の形態に係る監視装置１００のハードウェア構成を表わすブロック図である。
【図４】監視装置１００の記憶装置３３０におけるデータの格納の一態様を概念的に表わす図である。
【図５】監視装置１００の内部におけるフレームの流れを表わす図である。
【図６】監視装置１００の制御装置３５０が実行する一連の動作の一部を表わすフローチャートである。
【図７】監視装置１００におけるフレームの流れを表わす図である。
【図８】情報通信端末１１０を実現する機能の構成を表わすブロック図である。
【図９】情報通信端末１１０の一態様である携帯電話９００のハードウェア構成を表わすブロック図である。
【図１０】携帯電話器９００が備えるＣＰＵ９１０が実行する一連の動作の一部を表わすフローチャートである。
【図１１】携帯電話９００が監視装置１００に送信するパケット１１００の構成を概念的に表わす図である。
【図１２】携帯電話９００のディスプレイ９５０における画面を表わす図である。
【図１３】本発明の第２の実施の形態に係る監視装置１３００を実現する機能の構成を表わすブロック図である。
【図１４】監視装置１３００のハードウェア構成を表わすブロック図である。
【図１５】監視装置１３００の記憶装置３３０におけるデータの格納の一態様を概念的に表わす図である。
【符号の説明】
【０１１７】
１０  映像表示システム、１００，３００，１３００  監視装置、１１０  情報通信端末、１１２  ディスプレイ、１２０  ネットワーク、１３１，１３２，１３３，１３４，１４１，１４２，１４３，１４４，５０１，５０２，５０３，５０４，５０５，５０６，５０７，５０８，５０９  フレーム、３２０  カメラ、９００  携帯電話、９０８  アンテナ、９８２  メモリカード、１１００  パケット、１３８０  インターネットサービスプロバイダ、１３９０  ＰＣ。
【図１】
2008289083.tif 000003
【図２】
2008289083.tif 000004
【図３】
2008289083.tif 000005
【図４】
2008289083.tif 000006
【図５】
2008289083.tif 000007
【図６】
2008289083.tif 000008
【図７】
2008289083.tif 000009
【図８】
2008289083.tif 000010
【図９】
2008289083.tif 000011
【図１０】
2008289083.tif 000012
【図１１】
2008289083.tif 000013
【図１２】
2008289083.tif 000014
【図１３】
2008289083.tif 000015
【図１４】
2008289083.tif 000016
【図１５】
2008289083.tif 000017